(57)【特許請求の範囲】
【請求項１】
利用時に舞台の奥壁に副うように垂下されるホリゾント幕を不使用時に舞台の上方に吊り上げるホリゾント幕収納構造において、舞台の上方から垂下されるバトン吊上げ手段と、舞台の上方に配備されたすのこに水平移動可能に保持されたホリゾント幕吊上げ手段とを備え、上記ホリゾント幕吊上げ手段が回転体と、この回転体に介装された牽引体と、この牽引体の下端に連結されて垂下されるカウンターウエイトとからなり、上記バトン吊上げ手段をホリゾント幕の下端に結合し、上記牽引体の上端を上記ホリゾント幕の上端に連結し、上記バトン吊上げ手段でホリゾント幕の下端を吊上げた時上記カウンターウエイトを下降させながらホリゾント幕の上端を吊上げることを特徴とするホリゾント幕収納構造
【発明の詳細な説明】
【０００１】
【発明の属する技術分野】
この発明は、不使用時のホリゾント幕を舞台の上方に吊り上げて収納するホリゾント幕収納構造の改良に関する。
【０００２】
【従来技術とその課題】
たとえば、図３に示すように、劇場の舞台Ｓなどには、演出効果を高めるためなどで舞台Ｓの奥壁Ｗに副うようにホリゾント幕１が垂下されることがあるが、このホリゾント幕１の不使用時には、多くの場合に、このホリゾント幕１を舞台Ｓの上方に吊り上げるとしている。
【０００３】
このとき、舞台Ｓの上方に配備されているすのこＧ迄の高さが充分でない場合には、図３中に仮想線図で示すように、ホリゾント幕１をロール状に巻き取るとしている。
【０００４】
それゆえ、ホリゾント幕１に巻き皺が付き易くなり、甚だしい場合には、巻き皺がホリゾント幕１に投影される画像などに歪みなどの乱れを招来させることになり、ホリゾント幕１の短期間での交換を余儀なくさせていた。
【０００５】
にもかかわらず、この不具合を解消できる提案がなされていないのが現状で、この発明は、この現状を打開してその汎用性の向上を期待するのに最適となるホリゾント幕収納構造を提供することを目的とする。
【０００６】
【課題を解決するための手段】
上記した目的を達成するために、本発明の手段は、 利用時に舞台の奥壁に副うように垂下されるホリゾント幕を不使用時に舞台の上方に吊り上げるホリゾント幕収納構造において、舞台の上方から垂下されるバトン吊上げ手段と、舞台の上方に配備されたすのこに水平移動可能に保持されたホリゾント幕吊上げ手段とを備え、上記ホリゾント幕吊上げ手段が回転体と、この回転体に介装された牽引体と、この牽引体の下端に連結されて垂下されるカウンターウエイトとからなり、上記バトン吊上げ手段をホリゾント幕の下端に結合し、上記牽引体の上端を上記ホリゾント幕の上端に連結し、上記バトン吊上げ手段でホリゾント幕の下端を吊上げた時上記カウンターウエイトを下降させながらホリゾント幕の上端を吊上げることを特徴とするものである。
【０００７】
それゆえ、吊り上げられた状態のホリゾント幕１は、二つ折りにされたＵターン部分を形成するが、このＵターン部分がきつく折り曲げられないから、このＵターン部分に折り皺を発生させない。
【０００８】
のみならず、ホリゾント幕を二つ折り状態にするときに、ホリゾント幕の上端位置と下端位置を上下方向にずらすことで、常時同じ場所をＵターン部分にすることがなく、その結果、Ｕターン部分に皺を発生し難くする。
【００１０】
更に、吊り上げられたホリゾント幕における上端と下端の水平方向の間隔を離すことが可能になり、その結果、ホリゾント幕におけるＵターン部分に作用して皺発生の原因となるプレッシャーを一層少なくし得ることになる。
【００１２】
更に、カウンターウエイトやホリゾント幕の重さなどを適宜に設定することを条件にして、ホリゾント幕の下端を吊り上げることで、ホリゾント幕の上端を言わば自然に吊り上げ状態にし得ることになる。
【００１３】
【発明の実施の形態】
以下に、図示した実施形態に基づいて、この発明を説明する。この発明によるホリゾント幕収納構造は、利用時に舞台Ｓの奥壁Ｗに副うように垂下されるホリゾント幕１を不使用時に舞台Ｓの上方に吊り上げるものであって、舞台Ｓの上方から垂下されるバトン吊上げ手段３と、舞台Ｓの上方に配備されたすのこＧに水平移動可能に保持されたホリゾント幕吊上げ手段２とを備えている。
上記ホリゾント幕吊上げ手段２は回転体２１と、この回転体２１に介装された牽引体２２と、この牽引体２２の下端に連結されて垂下されるカウンターウエイト２３とからなっている。
上記バトン吊上げ手段３をホリゾント幕１の下端に結合し、上記牽引体２２の上端を上記ホリゾント幕１の上端に連結し、上記バトン吊上げ手段３でホリゾント幕１の下端を吊上げた時上記カウンターウエイト２３を下降させながらホリゾント幕１の上端を吊上げようにしているものである。
【００１４】
すなわち、この発明にあっては、図１に示すように、利用時に舞台Ｓの奥壁Ｗに副うように垂下されるホリゾント幕１は、舞台Ｓの上方に配在のすのこＧに保持されているホリゾント幕吊上げ手段２で吊持されるとしている。
【００１５】
そして、このホリゾント幕１の収納時には、図２に示すように、ホリゾント幕１の下端を舞台Ｓの上方から垂下されるバトン吊上げ手段３で吊り上げると共に、このホリゾント幕１における上端をホリゾント幕吊上げ手段２で吊り上げるとしている。
【００１６】
ちなみに、バトン吊上げ手段３は、図示するところでは、適宜の構成からなるバトン連結具３１を下端に保持する牽引体３２を有してなるもので、牽引体３２が専用ウインチ３３（図２参照）から引き出され、また、巻き取られるとしている。
【００１７】
それゆえ、収納時のホリゾント幕１にあっては、二つ折りにされたいわゆるＵターン部分１ａ（図２参照）が形成されることになるが、このＵターン部分１ａが言わばきつく折り曲げられないから、このＵターン部分１ａが形成されることに起因する折り皺が発生しないことになる。
【００１８】
のみならず、ホリゾント幕１を二つ折り状態にするときに、ホリゾント幕１の上端位置と下端位置が常に同じ位置にならないから、すなわち、相互の位置を上下方向にずらせるから、常時同じ場所をＵターン部分１ａにすることがなく、その結果、Ｕターン部分１ａに皺を発生し難くすることになる。
【００１９】
ところで、ホリゾント幕１にあっては、上端にバトン１１および下端にバトン１２を有していて、ホリゾント幕１の上下端における荷重分布を均一化してホリゾント幕１に縦皺を発生させないように配慮している。
【００２０】
それゆえ、下端側のバトン１２にバトン吊上げ手段３を連結し、また、上端側のバトン１１にホリゾント幕吊上げ手段２を連結してホリゾント幕１を舞台Ｓの上方に吊り上げるときに、ホリゾント幕１の上下端部分に縦皺を発生させないのはもちろんのこと、ホリゾント幕１全体に縦皺を発生させないようにすることが可能になる。
【００２１】
このとき、ホリゾント幕吊上げ手段２は、いわゆる空回りするシーブなどの回転体２１と、この回転体２１に介装されて垂下される一端がホリゾント幕１の上端に連結されるワイヤなどの牽引体２２と、この牽引体２２における一端の反対側端たる他端に連結されて垂下されるカウンターウエイト２３とを有してなるとしている。
【００２２】
ちなみに、図示するところでは、牽引体２２がワイヤとされることから回転体２１がシーブとされているが、要は、ホリゾント幕１の上端を所定の高さ位置まで上昇できる構成であれば足りる。
【００２３】
したがって、図示しないが、牽引体２２がチェーンとされると共に回転体２１がスプロケットとされるとしても良いが、いわゆる騒音発生を危惧しなくて済む点からは、図示するワイヤとシーブからなる構成の方が好ましい。
【００２４】
また、回転体２１は、いわゆる空回りを可能にするように枢支されているが、要は、牽引体２２のいわゆる移動を可能にする限りには、それ自身は回転しないが牽引体２２の滑動を許容する適宜の機構や構造が利用されるとしても良いことはもちろんである。
【００２５】
そして、カウンターウエイト２３については、図示しないが、これに代えて、バトンが利用されるとしても良く、要は、ホリゾント幕１の上端を吊り上げるのに十分となる重量を有すれば足りる。
【００２６】
ちなみに、ホリゾント幕吊上げ手段２において、
Ｗ１；ホリゾント幕１の重量
Ｗ22；牽引体２２の重量
Ｗ23；カウンターウエイト２３の重量
Ｗ11；バトン１１の重量
Ｗ12；をおよびバトン１２の重量
として、  Ｗ11＋Ｗ22＋（Ｗ１／２）＜Ｗ23＜Ｗ11＋Ｗ１＋Ｗ12   の式が成立するとき
に、バトン吊上げ手段３でホリゾント幕１の下端を吊上げることで、カウンターウエイト２３の重さでホリゾント幕１の上端が吊り上がることになる。
【００２７】
すなわち、従来であれば、ホリゾント幕１を折り畳むようにして吊り上げる際には、ホリゾント幕１の上下端をそれぞれバトン吊上げ手段３で吊り上げることになり、したがって、バトン吊上げ手段３を構成するウインチが二基要ることになるが、この発明では、一基のウインチ、すなわち、単一のバトン吊上げ手段３があれば足りることになる。
【００２８】
なお、この発明にあって、ホリゾント幕吊上げ手段２は、舞台Ｓの上方に配備されたすのこＧに水平移動可能に保持されてなるとしており、したがって、ホリゾント幕吊上げ手段２をすのこＧで水平移動させることで、吊り上げられたホリゾント幕１における上端と下端の水平方向の間隔を離すことが可能になり、その結果、ホリゾント幕１におけるＵターン部分１ａに作用して皺発生の原因となるプレッシャーを一層少なくすることが可能になる。
【００２９】
【発明の効果】
本発明によれば次の特有の効果を達成できる。
１）舞台の上方に吊り上げられたホリゾント幕に巻き皺を発生させないのはもちろんのこと、ホリゾント幕を二つ折り状態にするときに形成されるＵターン部分を強制的に折り畳まないから、このＵターン部分にも折り皺を発生させないことになる。
２）ホリゾント幕を二つ折り状態にするときに、ホリゾント幕の上端位置と下端位置を常時同じ場所にすることを避け得るから、同じ場所をＵターン部分にすることがなく、その結果、Ｕターン部分に皺を発生し難くすることになる。
３）ホリゾント幕吊上げ手段をすのこで水平移動させることで、吊り上げられたホリゾント幕における上端と下端の水平方向の間隔を離すことが可能になり、その結果、ホリゾント幕におけるＵターン部分に作用するプレッシャーを一層少なくすることが可能になる。
４）ホリゾント幕の下端をバトン吊上げ手段で吊り上げた時カウンターウエイトを下降させながらホリゾント幕吊上げ手段でホリゾント幕の上端を同時に吊り上げるので、複数のバトン吊上げ手段を必要とせず、単一のバトン吊上げ手段が準備されれば足りる点で有利となる。
５）その結果、この発明によれば、長期間に亘ってホリゾント幕の使用および収納が繰り返されても、ホリゾント幕に巻き皺などが付くことを回避し得ることになり、その汎用性の向上を期待するのに最適となる。
【図面の簡単な説明】
【図１】この発明の一実施形態によるホリゾント幕の使用状態を示す概略縦断面図である。
【図２】図１に示すホリゾント幕が不使用時に舞台の上方に吊り上げられている状態を示す概略斜視図である。
【図３】従来のホリゾント幕における使用時の状態と不使用時の吊上げ状態とを図１と同様に示す図である。
【符号の説明】
１  ホリゾント幕
１ａ  Ｕターン部分
２  ホリゾント幕吊上げ手段
３  バトン吊上げ手段
１１，１２  バトン
２１  シーブなどの回転体
２２  ワイヤなどの牽引体
２３  カウンターウエイト
Ｇ  すのこ
Ｓ  舞台
Ｗ  奥壁
【図１】
0003876727.tif 000002
【図２】
0003876727.tif 000003
【図３】
0003876727.tif 000004